(57)【要約】【課題】複数の連設された照明装置に生じる異音の発生を低減するとともに連設された複数の照明装置の直線性を維持することのできる照明装置を提供する。【解決手段】本発明の照明装置１は、隣り合う照明装置１に連設するため、サイドカバー４に嵌合部として凸部４ａおよび凹部４ｂが設けられている。凹部４ｂの内面には、異音発生防止部５が設けられている。【選択図】図１
2013037915.tif 000002
【特許請求の範囲】
【請求項１】
取付面に設置される装置本体と、
装置本体に搭載された光源と、
光源からの出射光を透過する照明カバーとを備える照明装置であって、
上記装置本体の端部に、隣接する照明装置の装置本体の端部と嵌合する嵌合部を備え、
上記嵌合部は、嵌合状態において隣接する装置本体間に加わる力を低減する緩衝部を備えることを特徴とする照明装置。
【請求項２】
上記嵌合部は、嵌合状態において隣接する装置本体の端部間の少なくとも一部が離間するようになっていることを特徴とする請求項１に記載の照明装置。
【請求項３】
上記嵌合部は、凸部とその凸部が嵌合する凹部とからなり、
上記凹部は、上記取付面への取付方向に貫通するように形成されていることを特徴とする請求項１または２に記載の照明装置。
【請求項４】
上記嵌合部は、凸部とその凸部が嵌合するする凹部とからなり、
上記装置本体の端部に、上記凸部と凹部との対が設けられていることを特徴とする請求項１〜３のいずれか１項に記載の照明装置。
【発明の詳細な説明】
【技術分野】
【０００１】
本発明は、複数連設することが可能な照明装置に関する。
【背景技術】
【０００２】
照明装置の用途は多岐に渡っており、家庭用照明のように比較的狭い室内を照明する場合もあれば、オフィスや展示場などのように広い室内を照明する場合もある。図８は、従来のストレート型の照明装置１００を示す斜視図である。広い室内を照明する場合、図８のような照明装置１００が、複数台、直線状に連設される。
【０００３】
例えば、特許文献１には、複数の照明装置の連設方法が開示されている。図９は、特許文献１に記載された互いに隣接する照明装置２００ａ・２００ｂの連設構造を示す斜視図である。図９に示すように、照明装置２００ａのフレーム２０１ａにおける長手方向の端部に凸部２０２が形成されており、照明装置２００ｂのフレーム２０１ｂにおける長手方向の端部に凹部２０３が形成されている。凸部２０２と凹部２０３とは互いに係合する。このため、フレーム２０１ａとフレーム２０１ｂとを連結すると、凸部２０２と凹部２０３とが係合する。従って、フレーム２０１ａとフレーム２０１ｂとが、隙間を生じることなく連設される。これにより、複数の照明装置２００ａ・２００ｂ・・・が、直線的に連設される。
【先行技術文献】
【特許文献】
【０００４】
【特許文献１】実開平７−１８３１１号公報（１９９５年３月３１日公開）
【発明の概要】
【発明が解決しようとする課題】
【０００５】
しかしながら、特許文献１に記載された照明装置の連設構造では、異音が発生すると共に、照明装置の直線性が損なわれるという問題がある。
【０００６】
具体的には、図９に示すように、照明装置２００ａでは、フレーム２０１ａの端部の全面に凸部２０２が形成され、照明装置２００ｂでは、フレーム２０１ｂの端部の全面に凹部２０３が形成されている。そして、上述のように、フレーム２０１ａとフレーム２０１ｂとが、隙間を生じることなく連設される。その結果、点灯時に生じる熱に伴うフレーム２０１ａとフレーム２０１ｂの膨張、または、質量の大きい鉄道車両またはトラック類の近傍通過や地震等による振動によって、照明装置２００ａ・２００ｂの間に力が加わることで異音が発生することが明らかになった。
【０００７】
また、図１０は、図８の照明装置１００を４つ連設した状態を示す平面図である。より詳細には、図１０は、上記異音を防止するために、図８の照明装置１００間に隙間を設けて連設した状態を示す図である。作業者が照明装置１００を天井に直接取り付ける連設施工では、隣り合う照明装置１００同士の位置関係を把握しながら取付作業を行うことが困難である。また、上記隙間によって連設していくごとに照明装置１００の取り付け位置に誤差が生じる。その結果、図１０のように連設された照明装置１００の直線性が損なわれる虞がある。
【０００８】
そこで、本発明は、上記従来の問題点に鑑みてなされてものであり、その目的は、複数の連設された照明装置に生じる異音の発生を低減するとともに連設された複数の照明装置の直線性を維持することのできる照明装置を提供することにある。
【課題を解決するための手段】
【０００９】
本発明の照明装置は、上記の課題を解決するために、取付面に設置される装置本体と、
装置本体に搭載された光源と、
光源からの出射光を透過する照明カバーとを備える照明装置であって、
上記装置本体の端部に、隣接する照明装置の装置本体の端部と嵌合する嵌合部を備え、
上記嵌合部は、嵌合状態において隣接する装置本体間に加わる力を低減する緩衝部を備えることを特徴としている。
【００１０】
上記の構成によれば、装置本体の端部に、隣接する照明装置の装置本体の端部と嵌合する嵌合部を備えている。これにより、隣接する照明装置を正確に位置合わせすることができる。従って、複数の照明装置の直線性を確保しつつ、複数の照明装置を簡便に連設することができる。
【００１１】
さらに、上記の構成によれば、嵌合部が緩衝部を備えているため、隣接する照明装置の嵌合状態において、隣接する装置本体間に加わる力が低減される。これにより、複数の連設された照明装置に生じる異音の発生を低減することができる。さらに、熱または振動が照明装置に加わっても、連設状態における照明装置の直線性を維持することができる。
【００１２】
本発明の照明装置において、上記嵌合部は、嵌合状態において隣接する装置本体の端部間の少なくとも一部が離間するようになっていることが好ましい。
【００１３】
上記の構成によれば、照明装置を複数連設すると、隣接する照明装置における装置本体の端面間に、部分的に隙間が形成される。つまり、隣接する照明装置の装置本体同士が接触しない。このため、たとえ照明装置の熱膨張や振動等が生じたとしても、隣接する装置本体の端面間に加わる力をより確実に低減することができる。従って、異音の発生をより効果的に防止することができると共に、連設状態における照明装置の直線性を維持することができる。
【００１４】
本発明の照明装置において、上記嵌合部は、凸部とその凸部が嵌合する凹部とからなり、上記凹部は、上記取付面への取付方向に貫通するように形成されていてもよい。
【００１５】
上記の構成によれば、嵌合部を構成する凹部が、照明装置の取付面方向に貫通している。これにより、照明装置の連設後であっても、照明装置を容易に取り外すことができる。従って、複数連設された照明装置のうち、一部の照明装置を容易に修理または交換することができる。
【００１６】
本発明の照明装置において、上記嵌合部は、凸部とその凸部が嵌合する凹部とからなり、上記装置本体の端部に、上記凸部と凹部との対が設けられていることが好ましい。
【００１７】
上記の構成によれば、装置本体の端部に、凸部と凹部との対が形成されている。これにより、照明装置の両端部（装置本体の両端部）に、同一の部材を適用することができる。このため、装置本体における一方の端部専用の部材と、他方の端部専用の部材とを製造する必要がない。従って、装置本体の製造コスト、ひいては照明装置の製造コストを削減することができる。なお、凸部と凹部との対は、１対であっても、複数対であってもよい。
【発明の効果】
【００１８】
以上のように、本発明によれば、複数の連設された照明装置に生じる異音の発生を低減するとともに連設された複数の照明装置の直線性を維持することのできる照明装置を提供することができるという効果を奏する。
【図面の簡単な説明】
【００１９】
【図１】本発明の実施の一形態に係る照明装置の端部を示す斜視図である。
【図２】本発明の実施の一形態に係る照明装置を示す斜視図である。
【図３】図２の照明装置に設けられた装置本体の平面図である。
【図４】本発明実施一の形態に係る照明装置を複数連設した、連設型照明装置を示す平面図である。
【図５】本発明実施一の形態に係る照明装置を４つ連設した、連設型照明装置を示す平面図である。
【図６】本発明実施一の形態に係る照明装置を複数連設した、連設型照明装置を示す平面図である。
【図７】本発明の別の実施の一形態に係る照明装置の端部を示す斜視図である。
【図８】従来のストレート型の照明装置を示す斜視図である。
【図９】特許文献１に記載された互いに隣接する照明装置の連設構造を示す斜視図である。
【図１０】図８の照明装置を４つ連設した状態を示す平面図である。
【発明を実施するための形態】
【００２０】
以下、本発明の一実施形態について図面に基づいて説明する。本実施形態では、本発明に係る照明装置の一例として、天井等の取付面に直付されるストレート型の照明装置（灯具）について説明する。以下の説明では、便宜上、室内（床）側を「下方（下側）」、天井（取付面）側を「上方（上側）」として説明する。
【００２１】
図２は、本発明の実施の一形態に係る照明装置１を示す斜視図である。図３は、図２の照明装置１に設けられた装置本体２の平面図であり、より詳細には、床側から見た装置本体２の平面図である。
【００２２】
図２に示すように、照明装置１は、天井等の取付面に設置される装置本体２と、装置本体２に取り付けられた照明カバー３と、装置本体２および照明カバー３の両端部に装着されたサイドカバー４とを備えている。
【００２３】
装置本体２は、図３に示すように、シャーシ２１と、ＬＥＤモジュール（光源）２２と、電源回路基板２３とを備えている。
【００２４】
照明装置１はストレート型であるため、シャーシ２１は、平面視長方形となっている。シャーシ２１は、例えば、アルミニウム、鉄、樹脂などの放熱性の高い材料から構成することができる。これにより、シャーシ２１に搭載されたＬＥＤモジュール２２および電源回路基板２３に生じる熱を、シャーシ２１によって効率的に放熱することができる。さらに、シャーシ２１をアルミニウムや鉄などの光を反射する材料から構成すれば、シャーシ２１が、ＬＥＤモジュール２２からの出射光を反射させる反射部としても機能する。
【００２５】
ＬＥＤモジュール２２は、照明装置１における光源である。ＬＥＤモジュール２２は、ＬＥＤ基板と、ＬＥＤ基板に搭載された複数のＬＥＤから構成されている。照明装置１では、２本の長尺（棒状）のＬＥＤモジュール２２が、シャーシ２１の長手方向（長辺）に沿って設けられている。２本のＬＥＤモジュール２２は、離間して配置されている。
【００２６】
電源回路基板２３は、ＬＥＤモジュール２２へ電力を供給する電源回路等の各種電子部品が実装されたものである。電源回路基板２３は、ＬＥＤモジュール２２とＬＥＤモジュール２２との間、つまり、シャーシ２１の中央部に設けられている。電源回路基板２３の中央部には、電源回路基板２３に電源ケーブルを接続するために、貫通穴２４が形成されている。一方、電源回路基板２３の両端部には、装置本体２を取付面にネジ止め固定するために、固定用穴２５が形成されている。なお、電源回路基板２３には、ＬＥＤモジュール２２の調光用の端子台が設けられていてもよい。これにより、照明装置１の調光が可能となる。
【００２７】
照明カバー３は、ＬＥＤモジュール２２からの出射光を透過する。照明カバー３は、拡散カバー３ａとセンターカバー３ｂとから構成されている。拡散カバー３ａは、各ＬＥＤモジュール２２の光出射方向側に設けられている。拡散カバー３ａは、ＬＥＤモジュール２２からの出射光を透光および拡散させる。拡散カバー３ａは、耐熱性材料から形成することが好ましい。例えば、乳白色（半透明）のポリカーボネート樹脂またはアクリルは、耐衝撃性、耐熱性、光拡散性に優れているため、拡散カバー３ａの構成材料として好適である。一方、センターカバー３ｂは、電源回路基板２３を隠すように設けられている。センターカバー３ｂは、サイドカバー４に設けられた案内ガイド（図示せず）に着脱可能に固定されている。
【００２８】
サイドカバー４は、照明装置１の長手方向の両端部（装置本体２の長手方向の両端部）に設けられている。サイドカバー４の外側面（照明装置１の側面または端面）の一部には、凸部４ａおよび凹部４ｂが形成されている。凸部４ａおよび凹部４ｂは、照明装置１を複数連設するための嵌合部である。照明装置１の連設については後述する。サイドカバー４は、装置本体２および照明カバー３の両端部に装着されている。サイドカバー４は、例えば、ポリカーボネート樹脂から構成することができる。
【００２９】
このように、照明装置１は、ＬＥＤモジュール２２からの出射光を、照明カバー３（拡散カバー３ａ）によって拡散させ、均一な光を室内側へ照射する。また、照明装置１は、複数連設できるようになっている。図４は、本発明実施一の形態に係る照明装置１を複数連設した、連設型照明装置１０を示す平面図である。
【００３０】
図５は、図２の照明装置１を４つ連設した、連設型照明装置１０ａを示す平面図である。図５のように、連設型照明装置１０においても、隣り合う照明装置１・１の凸部４ａと凹部４ｂとを嵌合させることにより、照明装置１・１との直線性を確保しつつ、複数のユニット１を簡単に連設することができる。
【００３１】
なお、図４では、全ての照明装置１は、サイドカバー４の両端部に凸部４ａおよび凹部４ｂがそれぞれ形成されている。すなわち、図４において、連設型照明装置１０は、図２の照明装置１を複数連設した構成となっている。このため、互いに対向するサイドカバー４の端面に、それぞれ、凸部４ａおよび凹部４ｂが配置される。つまり、ある照明装置１の凸部４ａは、隣接する照明装置１の凹部４ｂに対応しており、ある照明装置１の凹部４ｂは、隣接する照明装置１の凸部４ａに対応する。これにより、照明装置１の連設時には、凸部４ａおよび凹部４ｂが互いに嵌合し、照明装置１が長手方向に連設される。このように、各照明装置１に、それぞれ凸部４ａおよび凹部４ｂが形成されていれば、隣接する照明装置１の位置合わせも容易になる。また、連設状態における複数の照明装置１の直線性を確保して、複数の照明装置１を簡便に連設することができる。
【００３２】
なお、図４では、全てのサイドカバー４の両端部に凸部４ａおよび凹部４ｂが形成されている。このため、連設型照明装置１０では、両端の連設されないサイドカバー４に形成された凸部４ａおよび凹部４ｂが視認される。しかし、凸部４ａおよび凹部４ｂは、連設される側のサイドカバー４にのみ、形成されていてもよい。つまり、両端の照明装置１のうち、嵌合しない方のサイドカバー４には、凸部４ａおよび凹部４ｂが形成されていなくてもよい。すなわち、連設型照明装置１０は、連設される側のサイドカバー４にのみ、凸部４ａおよび凹部４ｂがそれぞれ形成された照明装置１を複数連設した構成であってもよい。この場合も隣り合う照明装置１・１の凸部４ａと凹部４ｂとを嵌合させることにより、照明装置１・１との直線性を確保しつつ、複数のユニット１を簡単に連設することができる。さらに、両端のサイドカバー４には、嵌合部（凸部４ａ，凹部４ｂ）が形成されないため、連設型照明装置１０を構成したとき、外観上、凸部４ａも凹部４ｂが視認されなくすることができる。
【００３３】
ここで、図１に基づいて、照明装置１の特徴的構成について説明する。図１は、本発明の実施の一形態に係る照明装置１の端部を示す斜視図である。
【００３４】
図４，図５のように、照明装置１を複数連設すると、ＬＥＤモジュール２２の点灯時に生じる熱膨張、質量の大きい鉄道車両/トラック類の近傍通過や地震等による振動によって、連設型照明装置１０，１０ａに異音が発生する。具体的には、熱により照明装置１が膨張するとき、および、照明装置１に振動が加わるときには、隣接する照明装置１・１間において長手方向に力が加わる。その結果、隣り合う照明装置１・１の接触部に摩擦力が働く。つまり、各照明装置１の連設面（サイドカバー４の端面）が擦れ合う。このため、連設型照明装置１０，１０ａに異音が発生する。
【００３５】
そこで、照明装置１では、このような異音対策が施されている。具体的には、図１のように、サイドカバー４に形成された凹部４ｂの内面に、隣接する照明装置１・１間に生じる力を低減する緩衝部５が設けられている。
【００３６】
緩衝部５は、隣り合う照明装置１のサイドカバー４との接触部に加わる力（摩擦力）を低減し、その力によって生じる音の発生を低減する。緩衝部５は、照明装置１・１の嵌合状態において隣接する装置本体２・２間に加わる力を低減し、異音の発生を低減できるものであれば特に限定されるものではない。例えば、緩衝部５は、吸音性および摩擦力吸収性（衝撃吸収性）の少なくとも一方を有する材料から構成されていることが好ましい。
【００３７】
例えば、緩衝部５は、繊維材、弾性部材などから構成することができる。繊維材としては、例えば、フェルト、不織布等が挙げられる。弾性部材としては、ゴムなどが挙げられる。また、緩衝部５は、凹部４ｂの内面に形成されたジェル状の部材（例えば、液晶テレビの転倒防止部材として脚部底面に敷くもの等）であってもよいし、凸部４ａと凹部４ｂとの接触部にテフロン（登録商標）加工を施したものであってもよい。
【００３８】
緩衝部５を、繊維材から構成した場合、隣り合う照明装置１の端面（サイドカバー４の端面）同士の接触による摩擦係数が低減される。これにより、異音が発生しにくくなると共に、繊維材に異音を吸収させることもできる。一方、緩衝部５を、弾性部材から構成した場合、隣り合う照明装置１の端面（サイドカバー４の端面）にかかる摩擦力が低減される。つまり、弾性部材が、摩擦力を吸収することにより、照明装置１の端面（サイドカバー４の端面）が擦れる力を低減することができる。緩衝部５が上述のようなジェル状の部材またはテフロン加工を施した場合も、同様の効果が得られる。従って、いずれの場合であっても、複数の連設された照明装置１・１に生じる異音の発生を防止することができる。
【００３９】
このように、照明装置１によれば、装置本体２の端部（照明装置１の端部）に、隣接する照明装置１・１の装置本体２の端部と嵌合する嵌合部として、凸部４ａおよび凹部４ｂを備えている。さらに、凹部４ｂには、緩衝部５が形成されている。すなわち、凹部４ｂは、隣り合う照明装置１のサイドカバー４との接触部の少なくとも一部に、緩衝部５を備えている。これにより、隣接する照明装置１・１を正確に位置合わせすることができる。従って、複数の照明装置１・１の直線性を確保しつつ、複数の照明装置１・１を簡便に連設することができる。
【００４０】
さらに、凹部４ｂが緩衝部５を備えているため、隣接する照明装置１・１の嵌合状態において、隣接する装置本体２・２間に加わる力が低減される。つまり、互いに隣り合う照明装置１（互いに隣り合うサイドカバー４）の接触部に加わる摩擦力が低減される。これにより、照明装置１，１が複数連設された連設型照明装置１０，１０ａに生じる異音の発生を低減することができる。さらに、熱または振動が照明装置１に加わっても、連設状態における照明装置１（連設型照明装置１０，１０ａ）の直線性を維持することができる。
【００４１】
なお、図１では、緩衝部５は、凹部４ｂに形成されている。しかし、緩衝部５は、隣り合う照明装置１のサイドカバー４との接触部の少なくとも一部に、形成されていればよい。つまり、緩衝部５は、凹部４ｂに形成することに限定されるものではなく、凸部４ａに形成してもよいし、サイドカバー４の端面４１に形成してもよい。また、緩衝部５は、凹部４ｂの内面（内側面）の少なくとも一部に形成すればよく、凹部４ｂの底面に形成することがより好ましく、凹部４ｂの内面の全ての面に形成することが好ましい。緩衝部５の形成領域が広くなるほど、異音の発生防止効果を高めることができる。また、緩衝部５が凹部４ｂ内に形成されている場合、凸部４ａに形成した場合よりも目立たなくすることができ、美観が損なわれない。
【００４２】
また、照明装置１では、装置本体２の両端部のサイドカバー４の端面４１に、それぞれ、凸部４ａおよび凹部４ｂが１対設けられている。しかし、一方の端部のサイドカバー４に凸部４ａを、他方のサイドカバー４に凹部４ｂを形成してもよい。この場合も、連設型照明装置１０，１０ａの直線性を確保することができる。ただし、両端部のサイドカバー４の端面４１に、それぞれ、凸部４ａおよび凹部４ｂが１対以上設けられていることが好ましい。これにより、照明装置１の両端部（装置本体２の両端部）に、同一のサイドカバー４を適用することができる。このため、一方の端部専用のサイドカバー４と、他方の端部専用のサイドカバー４とを製造する必要がない。従って、サイドカバー４の製造コスト、ひいては照明装置１の製造コストを削減することができる。
【００４３】
また、本実施形態では、図４に示すように、照明装置１のサイドカバー４に形成された凸部４ａの長さと、隣接する照明装置１のサイドカバー４に形成された凹部４ｂの深さとが略同一となっている。このため、連設型照明装置１０では、照明装置１のサイドカバー４の端面（連設面）と、隣接する照明装置１のサイドカバー４の端面（連設面）とが当接している。
【００４４】
しかし、隣り合う照明装置１に連設されたときに、互いに対向するサイドカバー４の端面（連設面）が離間するようになっていることが好ましい。図６は、本発明実施一の形態に係る照明装置１を複数連設した照明装置を示す平面図である。図６の照明装置１は、凸部４ａ長さが、凹部４ｂの深さ以上に設定されている点のみが、図４の構成とは異なる。図６の構成では、凸部４ａおよび凹部４ｂは、嵌合状態において隣接する装置本体２の端部間の一部が離間するようになっている。すなわち、照明装置１を連設して連設型照明装置１０ｂを構成すると、互いに隣り合う照明装置１・１の端面４１，４１が、離間して設けられる。つまり、互いに隣り合う照明装置１・１におけるサイドカバー４，４の端面４１・４１同士（装置本体２・２同士）が接触しない。このため、たとえ照明装置１の熱膨張や振動等が生じたとしても、隣接する端面４１，４１間に加わる力をより確実に低減することができる。従って、異音の発生をより効果的に防止することができる。また凸部４ａおよび凹部４ｂの嵌合により照明装置１の位置合わせが正確にできるので、複数の照明装置１を直線的に取り付けることも容易である。また、熱または振動が照明装置１に加わっても、端面４１，４１間に生じる力を低減できるので、連設型照明装置１０ｂにおける複数連設された照明装置１の直線性を維持することができる。
【００４５】
一方、図１の照明装置１では、凹部４ｂは、サイドカバー４の厚さ方向の中央部に形成されており、凹部４ｂは、サイドカバー４の厚さ方向に貫通していない。しかし、凹部４ｂは、サイドカバー４の厚さ方向（取付面への取付方向）に貫通して形成されていてもよい。図７は、本発明の別の実施の一形態に係る照明装置１ｂの端部を示す斜視図である。図７の照明装置１ｂでは、凹部４ｂ’は、サイドカバー４の厚さ方向に貫通するように形成されている。これにより、照明装置１ｂの連設後であっても、照明装置１ｂを下方向へ取り外すことが可能となる。従って、複数連設された照明装置１ｂのうち（連設型照明装置１０のうち）、一部の照明装置１ｂを容易に修理または交換することができる。
【００４６】
具体的には、連設型照明装置１０では、凸部４ａと凹部４ｂとが互いに係合した状態で、故障等によって連設型照明装置１０の両端以外の照明装置１を取り外す（下方向へ引き降ろす）必要が生じる場合がある。この場合、図１のように、凹部４ｂが、サイドカバー４の厚さ方向に非貫通であると、複数の連接された照明装置１のうち端部の照明装置１から順番に、取り外す必要のある照明装置１まで取り外してゆかねばならない。
【００４７】
これに対し、図７のように、凹部４ｂ’が、サイドカバー４の厚さ方向に貫通している場合、上下方向の拘束がない。従って、取り外す必要のある照明装置１のみを下方向へ取り外すことが可能となる。
【００４８】
なお、本実施形態では、光源としてＬＥＤ２２を備える照明装置１について説明した。しかし、光源はＬＥＤ２２に限定されるものではなく、蛍光体、エレクトロルミネッセンス素子、半導体光源等の各種発光素子であってもよい。また、光源の色は任意に設定すればよい。ただし、ＬＥＤ（Light Emitting Diode：発光ダイオード）は、長寿命、低消費電力といった利点を有する。
【００４９】
また、本実施形態では、複数の照明装置１を長手方向に連設した、連設型照明装置１０について説明した。しかし、複数の照明装置１を短手方向に連設することもできる。この場合、サイドカバー４を照明装置１の短手方向に装着すればよい。つまり、連設型照明装置１０における照明装置１の連設方向は、長手方向に限定されるものではない。
【００５０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００５１】
１    照明装置
２    装置本体
３    照明カバー
４ａ  凸部（嵌合部）
４ｂ  凹部（嵌合部）
４ｂ’  凹部（嵌合部）
５    緩衝部
２２    ＬＥＤモジュール（光源）
【図１】
2013037915.tif 000003
【図２】
2013037915.tif 000004
【図３】
2013037915.tif 000005
【図４】
2013037915.tif 000006
【図５】
2013037915.tif 000007
【図６】
2013037915.tif 000008
【図７】
2013037915.tif 000009
【図８】
2013037915.tif 000010
【図９】
2013037915.tif 000011
【図１０】
2013037915.tif 000012